(57)【要約】【課題】本発明は、複数の監視情報を適切に表示でき、監視情報に応じた対処の判断がし易い被監視者監視システムの表示装置および該方法ならびに前記該システムを提供する。【解決手段】本発明の表示装置の一例としての携帯端末ユニットは、複数の被監視者の行動をそれぞれ検知して通知する被監視者監視システムにおける、監視情報を受信して表示する装置であって、或る被監視者の監視情報を表す監視情報表示画面の表示中に、他の被監視者の監視情報の受信があっても、所定の入力操作を受け付けている場合、前記或る被監視者の監視情報を表す前記監視情報表示画面の表示を継続し、一方、前記表示中に、前記或る被監視者の監視情報の受信がさらにあった場合、前記受信がさらにあった前記或る被監視者の監視情報に従って前記表示中の監視情報表示画面を更新する。また、前記被監視者への対応実行の意思を受け付けた場合に前記表示中の監視情報表示画面を削除する。【選択図】図８
2020146506.tif 000002
【特許請求の範囲】
【請求項１】
監視対象である複数の被監視者それぞれを検知して前記複数の被監視者を監視する被監視者監視システムにおける、前記被監視者に関する監視情報を受信して表示する表示装置であって、
通信を行う通信部と、
表示を行う表示部と、
入力操作を受け付ける入力部と、
前記通信部で前記監視情報を収容した監視情報通信信号を受信した場合に、前記監視情報通信信号に収容された前記監視情報を前記表示部に表示する表示処理部とを備え、
前記入力部は、前記入力操作の１つとして、前記被監視者に対する所定の対応を実行する意思があることを受け付け、
前記表示処理部は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があっても、前記入力部で所定の入力操作を受け付けている場合、前記或る被監視者に関する監視情報を表す前記監視情報表示画面の表示を継続し、
前記表示処理部は、前記複数の被監視者のうちの或る被監視者に関する監視情報を表す監視情報表示画面の表示中に、前記或る被監視者に関する監視情報を収容した監視情報通信信号の受信がさらにあった場合、前記受信がさらにあった監視情報通信信号に収容された前記監視情報に従って前記表示中の監視情報表示画面を更新し、
前記表示処理部は、前記入力部で前記意思があることを受け付けた場合に、前記表示中の監視情報表示画面を削除する、
被監視者監視システムの表示装置。
【請求項２】
前記表示処理部は、前記或る被監視者に関する監視情報を表す前記監視情報表示画面に、前記他の被監視者に関する監視情報の受信を表す別監視情報受信表示を表示する、
請求項１に記載の被監視者監視システムの表示装置。
【請求項３】
前記表示処理部は、第１の監視情報表示画面に対応する第１の監視情報より前の時刻に関する第２の監視情報がある場合には、前記第１の監視情報表示画面と前記第２の監視情報を表す第２の監視情報表示画面とを時系列に関係付けて前記表示画面記憶部に記憶し、前記第１の監視情報表示画面に対応する第１の監視情報より後の時刻に関する第３の監視情報がある場合には、前記第１の監視情報表示画面と前記第３の監視情報を表す第３の監視情報表示画面とを時系列に関係付けて前記表示画面記憶部に記憶し、
前記表示処理部は、前記第１の監視情報表示画面を前記表示部に表示している際に、前記第２の監視情報がある場合には前記第２の監視情報の受信を表す第１の別監視情報受信表示を、前記第１の監視情報表示画面における一方に表示し、前記第３の監視情報がある場合には前記第３の監視情報の受信を表す第２の別監視情報受信表示を、前記第１の監視情報表示画面における他方に表示する、
請求項１または請求項２に記載の被監視者監視システムの表示装置。
【請求項４】
前記表示処理部は、前記所定の入力操作と異なる所定の第２の入力操作を前記入力部で受け付けた場合に、前記第１の監視情報表示画面の表示から、前記第２の入力操作に応じた前記別監視情報受信表示に対応する監視情報を表す監視情報表示画面の表示へ移行して表示する、
請求項３に記載の被監視者監視システムの表示装置。
【請求項５】
前記第２の入力操作は、フリック、タップおよび当該表示装置全体の移動のうちの少なくとも１つである、
請求項４に記載の被監視者監視システムの表示装置。
【請求項６】
前記所定の入力操作の受付け終了後、所定時間経過後に、入力操作を待機する待機モードとなるモード制御部をさらに備える、
請求項１ないし請求項５のいずれか１項に記載の被監視者監視システムの表示装置。
【請求項７】
前記表示処理部は、前記所定の入力操作を前記入力部で受付けると、当該表示装置のユーザが前記被監視者に対する対応を実行するか否かの判断中であることを表す判断中画面を表示する
請求項１ないし請求項６のいずれか１項に記載の被監視者監視システムの表示装置。
【請求項８】
表示画面を記憶する表示画面記憶部をさらに備え、
前記表示処理部は、前記或る被監視者に関する監視情報を表す前記監視情報表示画面と、前記他の被監視者に関する監視情報を表す前記他の監視情報表示画面と、を時系列に関係付けて前記表示画面記憶部に記憶し、前記或る被監視者に関する監視情報を表す前記監視情報表示画面の表示中に、前記他の被監視者に関する監視情報を収容した監視情報通信信号の受信があって、前記所定の入力操作を受け付けていない場合、前記或る被監視者に関する監視情報を表す前記監視情報表示画面から、前記他の被監視者に関する監視情報を表す前記他の監視情報表示画面へ移行して前記表示部に表示する、
請求項１ないし請求項７のいずれか１項に記載の被監視者監視システムの表示装置。
【請求項９】
監視対象である複数の被監視者それぞれを検知して前記複数の被監視者を監視する被監視者監視システムにおける、前記被監視者に関する監視情報を受信して表示装置に表示する表示方法であって、
入力操作を受け付ける入力工程と、
通信を行う通信部で前記監視情報を収容した監視情報通信信号を受信した場合に、前記監視情報通信信号に収容された前記監視情報を、表示を行う表示部に表示する表示処理工程とを備え、
前記入力工程は、前記入力操作の１つとして、前記被監視者に対する所定の対応を実行する意思があることを受け付け、
前記表示処理工程は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があっても、前記入力工程で所定の入力操作を受け付けている場合、前記或る被監視者に関する監視情報を表す前記監視情報表示画面の表示を継続し、
前記表示処理工程は、前記複数の被監視者のうちの或る被監視者に関する監視情報を表す監視情報表示画面の表示中に、前記或る被監視者に関する監視情報を収容した監視情報通信信号の受信がさらにあった場合、前記受信がさらにあった監視情報通信信号に収容された前記監視情報に従って前記表示中の監視情報表示画面を更新し、
前記表示処理工程は、前記入力工程で前記意思があることを受け付けた場合に、前記表示中の監視情報表示画面を削除する、
被監視者監視システムの表示方法。
【請求項１０】
表示装置と、前記表示装置と通信可能に接続され、監視対象である複数の被監視者それぞれを検知して検知結果を前記表示装置へ通知する検知装置とを備える被監視者監視システムであって、
前記表示装置は、請求項１ないし請求項８のいずれか１項に記載の表示装置である、
被監視者監視システム。
【発明の詳細な説明】
【技術分野】
【０００１】
本発明は、監視すべき監視対象である被監視者を監視し、前記被監視者に関する所定の情報を受信装置に送信する被監視者監視システムの表示装置および被監視者監視システムの表示方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、高齢な要看護者等を高齢の家族（配偶者、子、兄弟）が介護する老老介護も起きて来ている。
【０００３】
要看護者等は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士等は、定期的に巡視することによってその安否や様子を確認している。
【０００４】
しかしながら、要看護者等の増加数に対し看護師等の増加数が追い付かずに、看護業界や介護業界は、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。
【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視技術が研究、開発されている。
【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。
【０００７】
一方、安否確認の点では、一人暮らしの独居者も前記要介護者等と同様であり、被監視対象者となる。
【先行技術文献】
【特許文献】
【０００８】
【特許文献１】特開２０１４−９０９１３号公報
【発明の概要】
【発明が解決しようとする課題】
【０００９】
ところで、被監視者監視システムは、複数の被監視者を監視するため、被監視者に関する監視情報を表示する表示装置は、複数の監視情報の表示を必要とする場合がある。このような場合に、例えば、前記表示装置が複数の監視情報を表示画面に表示してしまうと、表示画面には、情報過多となって監視者は、監視情報に応じた対処の判断がし難くなる。
【００１０】
本発明は、上述の事情に鑑みて為された発明であり、その目的は、複数の監視情報を適切に表示でき、監視情報に応じた対処の判断がし易い被監視者監視システムの表示装置および表示方法ならびに前記被監視者監視システムを提供することである。
【課題を解決するための手段】
【００１１】
一態様にかかる被監視者監視システムの表示装置は、監視対象である複数の被監視者それぞれを検知して前記複数の被監視者を監視する被監視者監視システムにおける、前記被監視者に関する監視情報を受信して表示する表示装置であって、通信を行う通信部と、表示を行う表示部と、入力操作を受け付ける入力部と、前記通信部で前記監視情報を収容した監視情報通信信号を受信した場合に、前記監視情報通信信号に収容された前記監視情報を前記表示部に表示する表示処理部とを備え、前記入力部は、前記入力操作の１つとして、前記被監視者に対する所定の対応を実行する意思があることを受け付け、前記表示処理部は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があっても、前記入力部で所定の入力操作を受け付けている場合、前記或る被監視者に関する監視情報を表す前記監視情報表示画面の表示を継続し、前記表示処理部は、前記複数の被監視者のうちの或る被監視者に関する監視情報を表す監視情報表示画面の表示中に、前記或る被監視者に関する監視情報を収容した監視情報通信信号の受信がさらにあった場合、前記受信がさらにあった監視情報通信信号に収容された前記監視情報に従って前記表示中の監視情報表示画面を更新し、前記表示処理部は、前記入力部で前記意思があることを受け付けた場合に、前記表示中の監視情報表示画面を削除する。他の一態様では、好ましくは、被監視者監視システムの表示装置は、監視対象である複数の被監視者の所定の行動をそれぞれ検知して通知する、前記複数の被監視者を監視する被監視者監視システムにおける、前記被監視者に関する監視情報を受信して表示する表示装置であって、前記複数の被監視者のうちの或る被監視者に関する監視情報を表す監視情報表示画面の表示中に、前記複数の被監視者のうちの前記或る被監視者と異なる他の被監視者に関する監視情報の受信があっても、所定の入力操作を受け付けている場合、前記或る被監視者に関する監視情報を表す前記監視情報表示画面の表示を継続し、前記複数の被監視者のうちの或る被監視者に関する監視情報を表す監視情報表示画面の表示中に、前記或る被監視者に関する監視情報の受信がさらにあった場合、前記受信がさらにあった前記或る被監視者に関する監視情報に従って前記表示中の監視情報表示画面を更新する。
【００１２】
このような被監視者監視システムの表示装置は、監視情報表示画面の表示中であって、所定の入力操作、例えば判断中であることを表示装置に指示する入力操作を受け付けている場合、他の監視情報の受信があっても、その表示中の監視情報表示画面の表示を継続するので、情報過多となることがなく、複数の監視情報を適切に表示でき、監視情報に応じた対処の判断がし易くなる。例えば、表示中の監視情報表示画面から、他の監視情報の受信のために、この他の監視情報を表す他の監視情報表示画面に移行して前記他の監視情報表示画面が表示されてしまうと、判断し難くなるが、このようなことがない。
【００１３】
他の一態様では、上述の被監視者監視システムの表示装置において、前記表示処理部は、前記或る被監視者に関する監視情報を表す前記監視情報表示画面に、前記他の被監視者に関する監視情報の受信を表す別監視情報受信表示を表示する。他の一態様では、好ましくは、上述の被監視者監視システムの表示装置において、前記或る被監視者に関する監視情報を表す前記監視情報表示画面に、前記他の被監視者に関する監視情報の受信を表す別監視情報受信表示を表示する。
【００１４】
このような被監視者監視システムの表示装置は、別監視情報受信表示を表示するので、表示中の監視情報表示画面の表示が継続されても、他の監視情報の受信を認識できる。
【００１５】
他の一態様では、これら上述の被監視者監視システムの表示装置において、前記表示処理部は、第１の監視情報表示画面に対応する第１の監視情報より前の時刻に関する第２の監視情報がある場合には、前記第１の監視情報表示画面と前記第２の監視情報を表す第２の監視情報表示画面とを時系列に関係付けて前記表示画面記憶部に記憶し、前記第１の監視情報表示画面に対応する第１の監視情報より後の時刻に関する第３の監視情報がある場合には、前記第１の監視情報表示画面と前記第３の監視情報を表す第３の監視情報表示画面とを時系列に関係付けて前記表示画面記憶部に記憶し、前記表示処理部は、前記第１の監視情報表示画面を前記表示部に表示している際に、前記第２の監視情報がある場合には前記第２の監視情報の受信を表す第１の別監視情報受信表示を、前記第１の監視情報表示画面における一方に表示し、前記第３の監視情報がある場合には前記第３の監視情報の受信を表す第２の別監視情報受信表示を、前記第１の監視情報表示画面における他方に表示する。他の一態様では、好ましくは、これら上述の被監視者監視システムの表示装置において、表示中の監視情報表示画面に対応する第１の監視情報より前の時刻の第２の監視情報がある場合には、前記第２の監視情報の受信を表す第１の別監視情報受信表示を、前記表示中の監視情報表示画面における一方に表示し、前記表示中の監視情報表示画面に対応する前記第１の監視情報より後の時刻の第３の監視情報がある場合には、前記第３の監視情報の受信を表す第２の別監視情報受信表示を、前記表示中の監視情報表示画面における他方に表示する。
【００１６】
このような被監視者監視システムの表示装置は、時系列に関係付けられた複数の監視情報表示画面の存在を認識できる。
【００１７】
他の一態様では、上述の被監視者監視システムの表示装置において、前記表示処理部は、前記所定の入力操作と異なる所定の第２の入力操作を前記入力部で受け付けた場合に、前記第１の監視情報表示画面の表示から、前記第２の入力操作に応じた前記別監視情報受信表示に対応する監視情報を表す監視情報表示画面の表示へ移行して表示する。他の一態様では、好ましくは、上述の被監視者監視システムの表示装置において、前記所定の入力操作と異なる所定の第２の入力操作を受け付けた場合に、前記表示中の監視情報表示画面の表示から、前記第２の入力操作に応じた前記別監視情報受信表示に対応する監視情報を表す監視情報表示画面の表示へ移行して表示する。そして、好ましくは、前記第２の入力操作は、フリック、タップおよび当該表示装置全体の移動のうちの少なくとも１つである。前記フリックでは、好ましくは、フリック先に表示されている前記別監視情報受信表示に対応する監視情報を表す監視情報表示画面が表示される。前記タップでは、好ましくは、タップされた位置に表示されている前記別監視情報受信表示に対応する監視情報を表す監視情報表示画面が表示される。前記表示装置全体の移動は、好ましくは、移動方向先に表示されている前記別監視情報受信表示に対応する監視情報を表す監視情報表示画面が表示される。
【００１８】
このような被監視者監視システムの表示装置は、時系列に関係付けられた複数の監視情報表示画面を、第２の入力操作で順次に表示できる。
【００１９】
他の一態様では、これら上述の被監視者監視システムの表示装置において、前記所定の入力操作の受付け終了後、所定時間経過後に、入力操作を待機する待機モードとなるモード制御部をさらに備える。他の一態様では、好ましくは、これら上述の被監視者監視システムの表示装置において、前記所定の入力操作の受付け終了後、所定時間経過後に、入力操作を待機する待機モードとなる。
【００２０】
この構成によれば、前記所定の入力操作の受付け終了後、所定時間経過後に、入力操作を待機する待機モードとなる被監視者監視システムの表示装置を提供できる。
【００２１】
他の一態様では、これら上述の被監視者監視システムの表示装置において、前記表示処理部は、前記所定の入力操作を前記入力部で受付けると、当該表示装置のユーザが前記被監視者に対する対応を実行するか否かの判断中であることを表す判断中画面を表示する。他の一態様では、好ましくは、これら上述の被監視者監視システムの表示装置において、前記所定の入力操作を受付けると、当該表示装置のユーザが前記被監視者に対する対応を実行するか否かの判断中であることを表す判断中画面を表示する。
【００２２】
この構成によれば、前記所定の入力操作を前記入力部で受付けると前記判断中画面を表示する被監視者監視システムの表示装置を提供できる。
【００２３】
他の一態様では、これら上述の被監視者監視システムの表示装置において、表示画面を記憶する表示画面記憶部をさらに備え、前記表示処理部は、前記或る被監視者に関する監視情報を表す前記監視情報表示画面と、前記他の被監視者に関する監視情報を表す前記他の監視情報表示画面と、を時系列に関係付けて前記表示画面記憶部に記憶し、前記或る被監視者に関する監視情報を表す前記監視情報表示画面の表示中に、前記他の被監視者に関する監視情報を収容した監視情報通信信号の受信があって、前記所定の入力操作を受け付けていない場合、前記或る被監視者に関する監視情報を表す前記監視情報表示画面から、前記他の被監視者に関する監視情報を表す前記他の監視情報表示画面へ移行して前記表示部に表示する。他の一態様では、好ましくは、これら上述の被監視者監視システムの表示装置において、前記或る被監視者に関する監視情報を表す前記監視情報表示画面と、前記他の被監視者に関する監視情報を表す前記他の監視情報表示画面とを時系列に並べて持ち、前記或る被監視者に関する監視情報を表す前記監視情報表示画面の表示中に、前記他の被監視者に関する監視情報の受信があって、前記所定の入力操作を受け付けていない場合、前記或る被監視者に関する監視情報を表す前記監視情報表示画面から、前記他の被監視者に関する監視情報を表す前記他の監視情報表示画面へ移行して表示する。
【００２４】
このような被監視者監視システムの表示装置は、前記所定の入力操作を受け付けていない場合、表示中の監視情報表示画面から、前記他の監視情報を表す他の監視情報表示画面へ移行して表示するので、最新の監視情報を表示できる。
【００２５】
他の一態様では、被監視者監視システムの表示方法は、監視対象である複数の被監視者それぞれを検知して前記複数の被監視者を監視する被監視者監視システムにおける、前記被監視者に関する監視情報を受信して表示装置に表示する表示方法であって、入力操作を受け付ける入力工程と、通信を行う通信部で前記監視情報を収容した監視情報通信信号を受信した場合に、前記監視情報通信信号に収容された前記監視情報を、表示を行う表示部に表示する表示処理工程とを備え、前記入力工程は、前記入力操作の１つとして、前記被監視者に対する所定の対応を実行する意思があることを受け付け、前記表示処理工程は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があっても、前記入力工程で所定の入力操作を受け付けている場合、前記或る被監視者に関する監視情報を表す前記監視情報表示画面の表示を継続前記表示処理工程は、前記複数の被監視者のうちの或る被監視者に関する監視情報を表す監視情報表示画面の表示中に、前記或る被監視者に関する監視情報を収容した監視情報通信信号の受信がさらにあった場合、前記受信がさらにあった監視情報通信信号に収容された前記監視情報に従って前記表示中の監視情報表示画面を更新し、前記表示処理工程は、前記入力工程で前記意思があることを受け付けた場合に、前記表示中の監視情報表示画面を削除する。好ましくは、他の一態様にかかる被監視者監視システムの表示方法は、監視対象である複数の被監視者の所定の行動をそれぞれ検知して通知する、検知して前記複数の被監視者を監視する被監視者監視システムにおける、前記被監視者に関する監視情報を受信して表示する表示方法であって、前記複数の被監視者のうちの或る被監視者に関する監視情報を表す監視情報表示画面の表示中に、前記複数の被監視者のうちの前記或る被監視者と異なる他の被監視者に関する監視情報の受信があっても、所定の入力操作を受け付けている場合、前記或る被監視者に関する監視情報を表す前記監視情報表示画面の表示を継続し、前記複数の被監視者のうちの或る被監視者に関する監視情報を表す監視情報表示画面の表示中に、前記或る被監視者に関する監視情報の受信がさらにあった場合、前記受信がさらにあった前記或る被監視者に関する監視情報に従って前記表示中の監視情報表示画面を更新する。
【００２６】
他の一態様にかかる被監視者監視システムは、表示装置と、前記表示装置と通信可能に接続され、監視対象である複数の被監視者それぞれを検知して検知結果を前記表示装置へ通知する検知装置とを備える被監視者監視システムであって、前記表示装置は、これら上述のいずれかの表示装置である。
【００２７】
このような被監視者監視システムの表示方法および前記被監視者監視システムは、監視情報表示画面の表示中であって、所定の入力操作、例えば判断中であることを表示装置に指示する入力操作を受け付けている場合、他の監視情報の受信があっても、その表示中の監視情報表示画面の表示を継続するので、情報過多となることなく、複数の監視情報を適切に表示でき、監視情報に応じた対処の判断がし易くなる。
【発明の効果】
【００２８】
本発明にかかる被監視者監視システムの表示装置および表示方法ならびに前記被監視者監視システムは、複数の監視情報を適切に表示でき、監視情報に応じた対処の判断がし易くなる。
【００２９】
上記並びにその他の本発明の目的、特徴及び利点は、以下の詳細な記載と添付図面から明らかになるであろう。
【図面の簡単な説明】
【００３０】
【図１】実施形態における被監視者監視システムの構成を示す図である。
【図２】実施形態の被監視者監視システムにおける携帯端末ユニットの構成を示す図である。
【図３】前記携帯端末ユニットに記憶される監視情報テーブルおよび検知ユニット情報テーブルの各構成を示す図である。
【図４】前記携帯端末ユニットにおける、監視情報の表示に関する動作を示すフローチャートである。
【図５】前記携帯端末ユニットに表示される待受け画面の一例を示す図である。
【図６】被監視者の起床の通知を受けた、前記携帯端末ユニットに表示される監視情報画面の一例を示す図である。
【図７】既に監視情報の通知を受けた被監視者とは別の被監視者に関する監視情報の通知を受けた、前記携帯端末ユニットに表示される監視情報画面の一例を示す図である。
【図８】前記携帯端末ユニットに全画面表示で表示される監視情報画面の一例を示す図である。
【図９】互いに異なる２以上の被監視者に関する複数の監視情報の通知を受けた、前記携帯端末ユニットに表示される監視情報画面の一例を示す図である。
【発明を実施するための形態】
【００３１】
以下、本発明にかかる実施の一形態を図面に基づいて説明する。各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００３２】
本被監視者監視システムは、監視すべき（見守るべき）監視対象（見守り対象）である複数の被監視者（見守り対象者）Ｏｂそれぞれを検知して前記複数の被監視者Ｏｂを監視するものである。この被監視者監視システムに用いられる表示装置は、前記被監視者Ｏｂに関する監視情報を受信して表示する装置であって、前記複数の被監視者Ｏｂのうちの或る被監視者Ｏｂ−Ａに関する監視情報を表す監視情報表示画面ＳＣ−Ａの表示中に、前記複数の被監視者Ｏｂのうちの前記或る被監視者Ｏｂ−Ａと異なる他の被監視者Ｏｂ−Ｂに関する監視情報の受信があっても、所定の入力操作を受け付けている場合、前記或る被監視者Ｏｂ−Ａに関する監視情報を表す前記監視情報表示画面ＳＣ−Ａの表示を継続するものである。本実施形態では、前記表示装置は、前記或る被監視者Ｏｂ−Ａに関する監視情報を表す前記監視情報表示画面ＳＣ−Ａに、前記他の被監視者Ｏｂ−Ｂに関する監視情報の受信を表す別監視情報受信表示を表示する。本実施形態では、前記表示装置は、表示中の監視情報表示画面ＳＣ−ｔ２に対応する第１の監視情報ＭＩ−ｔ２より前の時刻ｔ１の第２の監視情報ＭＩ−ｔ１がある場合には、前記第２の監視情報ＭＩ−ｔ１の受信を表す第１の別監視情報受信表示を、前記表示中の監視情報表示画面ＳＣ−ｔ２における一方に表示し、前記表示中の監視情報表示画面ＳＣ−ｔ２に対応する前記第１の監視情報ＭＩ−ｔ２より後の時刻ｔ３の第３の監視情報ＭＩ−ｔ３がある場合には、前記第３の監視情報ＭＩ−ｔ３の受信を表す第２の別監視情報受信表示を、前記表示中の監視情報表示画面ＳＣ−ｔ２における他方に表示する。本実施形態では、前記表示装置は、前記所定の入力操作と異なる所定の第２の入力操作（例えばフリック、タップおよび当該表示装置全体の移動等）を受け付けた場合に、前記表示中の監視情報表示画面ＳＣ−ｔ２の表示から、前記第２の入力操作に応じた前記別監視情報受信表示に対応する監視情報ＭＩを表す監視情報表示画面ＳＣの表示へ移行して表示する。例えば、前記フリックでは、好ましくは、フリック先に表示されている前記別監視情報受信表示に対応する監視情報を表す監視情報表示画面が表示される。また例えば、前記タップでは、タップされた位置に表示されている前記別監視情報受信表示に対応する監視情報を表す監視情報表示画面が表示される。また例えば、前記表示装置全体の移動は、移動方向先に表示されている前記別監視情報受信表示に対応する監視情報を表す監視情報表示画面が表示される。なお、これらフリック、タップおよび表示装置全体の移動のうちの少なくとも１つが前記第２の所定の入力操作であってよい。本実施形態では、前記表示装置は、前記或る被監視者Ｏｂ−Ａに関する監視情報を表す前記監視情報表示画面ＳＣ−Ａと、前記他の被監視者Ｏｂ−Ｂに関する監視情報を表す前記他の監視情報表示画面ＳＣ−Ｂとを時系列に並べて持ち、前記或る被監視者Ｏｂ−Ａに関する監視情報を表す前記監視情報表示画面ＳＣ−Ａの表示中に、前記他の被監視者Ｏｂ−Ｂに関する監視情報の受信があって、前記所定の入力操作を受け付けていない場合、前記或る被監視者Ｏｂ−Ａに関する監視情報を表す前記監視情報表示画面ＳＣ−Ａから、前記他の被監視者Ｏｂ−Ｂに関する監視情報を表す前記他の監視情報表示画面ＳＣ−Ｂへ移行して表示する。
【００３３】
図１は、実施形態における被監視者監視システムの構成を示す図である。図２は、実施形態の被監視者監視システムにおける携帯端末ユニットの構成を示す図である。図３は、前記携帯端末ユニットに記憶される監視情報テーブルおよび検知ユニット情報テーブルの各構成を示す図である。図３Ａは、前記監視情報テーブルを示し、図３Ｂは、前記検知ユニット情報テーブルを示す。
【００３４】
このような被監視者監視システムＭＳは、例えば、図１に示すように、複数の検知ユニット（センサユニット）ＳＵ（ＳＵ−１〜ＳＵ−４）と、管理サーバユニットＳＶと、固定端末ユニットＳＰと、１または複数の携帯端末ユニットＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数の検知ユニットＳＵ−１〜ＳＵ−４、管理サーバユニットＳＶ、固定端末ユニットＳＰおよび複数の携帯端末ユニットＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００３５】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーションＳＴ等の複数の部屋を備える介護施設の建物に配設されている。
【００３６】
検知ユニットＳＵは、ネットワークＮＷを介して他のユニットＳＶ、ＳＰ、ＴＡと通信する通信機能を備え、被監視者Ｏｂを撮像して画像を生成しこの生成した画像から被監視者Ｏｂを検知する機器である。より具体的には、検知ユニットＳＵは、例えば、ネットワークを介して他のユニットＳＶ、ＳＰ、ＴＡと通信するための通信インターフェース回路（例えばＬＡＮカード等）、マイクロ波を送受信して被監視者Ｏｂの体動（例えば呼吸動作等）によって生じた前記マイクロ波のドップラシフトを検出することで被監視者Ｏｂを検知するドップラシフト方式の体動センサ、被監視者Ｏｂを撮像して画像を生成する画像センサ、前記体動センサの出力（体動センサ出力）および前記画像センサの出力（画像）に基づいて被監視者Ｏｂの検知結果として被監視者Ｏｂの状態（状況）を判定するデータ処理回路、これらを制御する制御回路およびその周辺回路を備えて構成され、前記検知結果を管理サーバユニットＳＶへ送信する。検知ユニットＳＵは、所定の他のユニットＳＶ、ＳＰ、ＴＡに前記生成した画像（静止画および動画を含む）を送信する。さらに、本実施形態では、検知ユニットＳＵは、固定端末ユニットＳＰや携帯端末ユニットＴＡ等に対してナースコールを通知するナースコール回路、および、固定端末ユニットＳＰや携帯端末ユニットＴＡ等との間で音声通話を行う通話回路を備え、ナースコールおよび音声通話が可能となっている。図１には、一例として、４個の第１ないし第４検知ユニットＳＵ−１〜ＳＵ−４が示されており、第１検知ユニットＳＵ−１は、被監視者Ｏｂの一人であるＡさんＯｂ−１の居室ＲＭ−１（不図示）に配設され、第２検知ユニットＳＵ−２は、被監視者Ｏｂの一人であるＢさんＯｂ−２の居室ＲＭ−２（不図示）に配設され、第３検知ユニットＳＵ−３は、被監視者Ｏｂの一人であるＣさんＯｂ−３の居室ＲＭ−３（不図示）に配設され、そして、第４検知ユニットＳＵ−４は、被監視者Ｏｂの一人であるＤさんＯｂ−４の居室ＲＭ−４（不図示）に配設されている。
【００３７】
管理サーバユニットＳＶは、ネットワークＮＷを介して他のユニットＳＵ、ＴＡ、ＳＰと通信する通信機能を備え、検知ユニットＳＵから被監視者Ｏｂに関する前記検知結果および前記被監視者Ｏｂの画像を受信して被監視者Ｏｂに対する監視に関する情報（監視情報）を管理する機器である。管理サーバユニットＳＶは、検知ユニットＳＵから被監視者Ｏｂに関する前記検知結果および前記被監視者Ｏｂの画像を受信すると、被監視者Ｏｂに対する監視に関する前記監視情報を収容した通信信号（監視情報通信信号）を固定端末ユニットＳＰおよび携帯端末ユニットＴＡに送信する。管理サーバユニットＳＶは、クライアント（本実施形態では固定端末ユニットＳＰおよび携帯端末ユニットＴＡ等）の要求に応じたデータを前記クライアントに提供する。このような管理サーバユニットＳＶは、例えば、通信機能付きのコンピュータによって構成可能である。
【００３８】
固定端末ユニットＳＰは、ネットワークＮＷを介して他のユニットＳＵ、ＳＶ、ＴＡと通信する通信機能、所定の情報を表示する表示機能、および、所定の指示やデータを入力する入力機能等を備え、管理サーバユニットＳＶや携帯端末ユニットＴＡに与える所定の指示やデータを入力したり、検知ユニットＳＵで得られた検知結果や画像を表示したり等することによって、被監視者監視システムＭＳのユーザインターフェース（ＵＩ）として機能する機器である。このような固定端末ユニットＳＰは、例えば、通信機能付きのコンピュータによって構成可能である。
【００３９】
携帯端末ユニットＴＡは、ネットワークＮＷを介して他のユニットＳＶ、ＳＰ、ＳＵと通信する通信機能、所定の情報を表示する表示機能、所定の指示やデータを入力する入力機能、および、音声通話を行う通話機能等を備え、管理サーバユニットＳＶや検知ユニットＳＵに与える所定の指示やデータを入力したり、管理サーバユニットＳＶからの通知によって検知ユニットＳＵで得られた前記検知結果や画像を表示したり等することによって、被監視者Ｏｂに対する監視に関する前記監視情報を受け付けて表示する機器である。
【００４０】
前記管理サーバユニットＳＶが前記表示装置の一例であって前記表示装置として機能して良く、また、前記固定端末ユニットＳＰが前記表示装置の一例であって前記表示装置として機能しても良いが、ここでは、携帯端末ユニットＴＡが前記表示装置の一例であって前記表示装置として機能する場合について、説明する。なお、前記管理サーバユニットＳＶが前記表示装置の一例であって前記表示装置として機能する場合、以下の説明と同様に、前記管理サーバユニットＳＶを構成できる。また、前記固定端末ユニットＳＰが前記表示装置の一例であって前記表示装置として機能する場合も、以下の説明と同様に、前記固定端末ユニットＳＰを構成できる。
【００４１】
このような携帯端末ユニットＴＡは、本実施形態では、例えば、図２に示すように、端末制御処理部（ＴＡ制御処理部）４１と、端末記憶部（ＴＡ記憶部）４２と、端末通信インターフェース部（ＴＡ通信ＩＦ部）４３と、端末音入出力部（ＴＡ音入出力部）４４と、端末入力部（ＴＡ入力部）４５と、端末表示部（ＴＡ表示部）４６と、端末インターフェース部（ＴＡＩＦ部）４７とを備える。
【００４２】
ＴＡ音入出力部４４は、ＴＡ制御処理部４１に接続され、外部の音を取得して携帯端末ユニットＴＡに入力するためのデバイスであって、ＴＡ制御処理部４１の制御に従って音を表す電気信号に応じた音を生成して出力するためのデバイスである。ＴＡ音入出力部４４は、例えば、音の音響振動を電気信号に変換するマイクロホン等と、音の電気信号を音の音響振動に変換するスピーカ等とを備えて構成される。ＴＡ音入出力部４４は、外部の音を表す電気信号をＴＡ制御処理部４４へ出力し、ＴＡ制御処理部４４から入力された電気信号を音の音響振動に変換して出力する。
【００４３】
ＴＡ入力部４５は、ＴＡ制御処理部４１に接続され、例えば、所定の操作を受け付け、携帯端末ユニットＴＡに入力するデバイスであり、例えば、所定の機能を割り付けられた複数の入力スイッチ等である。前記所定の操作には、例えば、ログインするためのＩＤの入力操作や、前記検知結果および前記画像を通報された被監視者Ｏｂに対する例えば看護等の前記対応を実行するか否かの入力操作や、前記対応を実行するか否かを判断している最中（判断中）であることを当該携帯端末ユニットＴＡに入力するための入力操作等の監視する上で必要な各種操作等が含まれる。ＴＡ表示部４６は、ＴＡ制御処理部４１に接続され、ＴＡ制御処理部４１の制御に従って、ＴＡ入力部４５から入力された所定の操作内容、および、被監視者監視システムＭＳによって監視されている被監視者Ｏｂに対する監視に関する前記監視情報（例えば判定された被監視者Ｏｂの状態や画像等）等を表示するデバイスであり、例えばＬＣＤおよび有機ＥＬディスプレイ等の表示装置である。そして、本実施形態では、ＴＡ入力部４５およびＴＡ表示部４６からタッチパネルが構成されている。この場合において、ＴＡ入力部４５は、例えば抵抗膜方式や静電容量方式等の操作位置を検出して入力する位置入力デバイスである。このタッチパネルでは、ＴＡ表示部４６の表示面上に位置入力デバイスが設けられ、ＴＡ表示部４６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末ユニットＴＡに入力される。
【００４４】
ＴＡＩＦ部４７は、ＴＡ制御処理部４１に接続され、ＴＡ制御処理部４１の制御に従って、外部機器との間でデータの入出力を行うデバイスであり、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００４５】
ＴＡ通信ＩＦ部４３は、ＴＡ制御処理部４１に接続され、ＴＡ制御処理部４１の制御に従って通信を行うための通信デバイスである。ＴＡ通信ＩＦ部４３は、ＴＡ制御処理部４１から入力された転送すべきデータを収容した通信信号を、この被監視者監視システムＭＳのネットワークＮＷで用いられる通信プロトコルに従って生成し、この生成した通信信号をネットワークＮＷを介して他のユニットＳＵ、ＳＶ、ＳＰへ送信する。ＴＡ通信ＩＦ部４３は、ネットワークＮＷを介して他のユニットＳＵ、ＳＶ、ＳＰから通信信号を受信し、この受信した通信信号からデータを取り出し、この取り出したデータをＴＡ制御処理部４１が処理可能な形式のデータに変換してＴＡ制御処理部４１へ出力する。
【００４６】
ＴＡ記憶部４３は、ＴＡ制御処理部４１に接続され、ＴＡ制御処理部４１の制御に従って、各種の所定のプログラムおよび各種の所定のデータを記憶する回路である。前記各種の所定のプログラムには、例えば、被監視者Ｏｂに対する監視に関する前記監視情報を処理する監視処理プログラム等の制御処理プログラムが含まれる。前記監視処理プログラムには、例えば、前記監視情報の表示に関する動作を処理する表示処理プログラムが含まれる。前記各種の所定のデータでは、被監視者Ｏｂに対する監視に関する前記監視情報、検知ユニットＳＵに関する検知ユニット情報等の各データが含まれる。ＴＡ記憶部４２は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＴＡ記憶部４２は、前記所定のプログラムの実行中に生じるデータ等を記憶するいわゆるＴＡ制御処理部４１のワーキングメモリとなるＲＡＭ（Ｒａｎｄｏｍ  Ａｃｃｅｓｓ  Ｍｅｍｏｒｙ）等を含む。そして、ＴＡ記憶部４２は、機能的に、表示画面記憶部４２１、監視情報記憶部４２２および検知ユニット情報記憶部４２３を備えている。
【００４７】
表示画面記憶部４２１は、ＴＡ制御処理部４１における後述の表示処理部４１２１の制御に従って、ＴＡ表示部４６に表示するための表示画面等の画像を記憶するものであり、例えばＶＲＡＭ（ビデオメモリ）等である。表示画面記憶部４２１は、複数の被監視者Ｏｂそれぞれに関する各監視情報を表す複数の後述の監視情報画面がある場合には、これら複数の監視情報画面を時系列に関係付けて記憶する。これら時系列に互いに関係付けられた複数の監視情報画面は、ＴＡ入力部４５で受け付けられた入力操作に応じて、一方の監視情報画面から他方の監視情報画面へ選択的に切り換えることで、ＴＡ表示部４６に表示されて良く、また、ＴＡ入力部４５で受け付けられた入力操作に応じて、連続的に表示されつつ一方の監視情報画面から他方の監視情報画面へ移行することで、ＴＡ表示部４６に表示されて良い。本実施形態では、より具体的には、互いに異なる複数の被監視者Ｏｂそれぞれに関する各監視情報を収容した複数の監視情報通信信号が受信されると、前記複数の監視情報通信信号それぞれに対応する複数の監視情報画面は、互いに時系列に連結されてプレーンに形成される。より詳しくは、前記複数の監視情報画面は、例えば、本実施形態では、ＴＡ表示部４６に表示された場合の上下方向に時系列に連結されてプレーンに形成される。なお、前記上下方向に代え、左右方向であっても良い。前記時系列の順番は、例えば、監視情報通信信号の受信時刻に従った順番であって良く、また、前記判定時刻に従った順番であって良い。そして、表示画面記憶部４２１に記憶されるプレーンサイズは、通常、ＴＡ表示部４６の画面表示領域のサイズと同等であるが、複数の監視情報通信信号が受信されると、１つの監視情報通信信号に収容された監視情報を表示する監視情報画面は、前記通常のプレーンサイズで形成され、前記複数の監視情報通信信号それぞれに対応する複数の監視情報画面は、互いに時系列に連結されてプレーンに形成されるので、この複数の監視情報通信信号が受信された場合のプレーンサイズは、複数の監視情報画面の個数に応じたサイズとなる。このプレーンに形成された複数の監視情報画面のうち、ＴＡ表示部４６の画面表示領域のサイズに応じた部分だけが、表示処理部４１２１によって、ＴＡ入力部４５で受け付けた入力操作に応じてＴＡ表示部４６に表示される。
【００４８】
監視情報記憶部４２２は、被監視者Ｏｂに対する監視に関する前記監視情報を記憶するものである。前記監視情報は、検知ユニットＳＵを特定し識別するための検知ユニット識別子（検知ＩＤ）、前記検知ＩＤに対応付けられ前記検知ＩＤを持つ前記検知ユニットＳＵで被監視者Ｏｂの状態として判定された判定結果を表す情報（判定結果情報；本実施形態では起床、離床、転倒転落、微体動異常を含む）、前記検知ＩＤに対応付けられ前記検知ＩＤを持つ前記検知ユニットＳＵで被監視者Ｏｂの状態を判定した時刻を表す情報（判定時刻情報）、前記検知ＩＤに対応付けられ前記検知ＩＤを持つ前記検知ユニットＳＵで被監視者Ｏｂの状態を判定した際に用いられた被監視者Ｏｂの静止画（複数の画像を用いて判定した場合にはそのうちの１つ（例えば最終の画像））、前記検知ＩＤに対応付けられ前記検知ＩＤを持つ前記検知ユニットＳＵの通信アドレス（例えばＩＰアドレス等）、および、前記検知ＩＤに対応付けられ前記検知ＩＤを持つ前記検知ユニットＳＵで監視されている被監視者Ｏｂに対する例えば救命、看護、介護および介助等の対応を実行する意思が携帯端末ユニットＴＡに入力されたか否かを示す対応情報等を含む。なお、前記判定時刻に代え、前記判定結果および前記画像の通報を受けた通信信号の受信時刻が用いられても良い。
【００４９】
この監視情報は、本実施形態では、テーブル形式で監視情報記憶部４２２に記憶されている。この監視情報を登録する監視情報テーブルＭＴは、例えば、図３Ａに示すように、前記検知ＩＤを登録する検知ＩＤフィールド４２３１と、検知ＩＤフィールドに登録された検知ＩＤに対応する検知ユニットＳＵにかかる前記判定結果情報を登録する判定結果フィールド４２３２と、検知ＩＤフィールドに登録された検知ＩＤに対応する検知ユニットＳＵにかかる前記判定時刻情報を登録する判定時刻フィールド４２３３と、検知ＩＤフィールドに登録された検知ＩＤに対応する検知ユニットＳＵにかかる前記静止画を登録する静止画フィールド４２３４と、ライブ動画の取得先として、検知ＩＤフィールドに登録された検知ＩＤに対応する検知ユニットＳＵの通信アドレス（例えばＩＰアドレス等）を登録する動画フィールド４２３５と、検知ＩＤフィールドに登録された検知ＩＤに対応する検知ユニットＳＵで監視されている被監視者Ｏｂに対する前記対応の意思の入否を示す対応情報を登録する対応フィールド４２３６とを備え、監視情報通信信号の受信ごとにレコードを備える。対応フィールド４２３６には、前記対応の意思の入否を示す対応情報を示すフラグが登録されている。例えば、本実施形態では、対応フィールド４２３６には、前記対応の意思が携帯端末ユニットＴＡに入力されたことを意味するフラグ「１」、あるいは、前記対応の意思が携帯端末ユニットＴＡに入力されていないことを意味するフラグ「０」が登録される。なお、静止画フィールド４２３４には、例えば、静止画の画像データが登録されて良く、また例えば、静止画の画像データのファイル名が登録されて良い。この図３Ａに示す例では、第１番目のレコードにおいて、検知ＩＤフィールド４２３１、判定結果フィールド４２３２、判定時刻フィールド４２３３、静止画フィールド４２３４、動画フィールド４２３５および対応フィールド４２３６それぞれには、「ＳＵ−１」、「起床」、「０６：３２」、「ＳＰ１」、「＊＊．＊＊．＊＊．＊＊」（＊＊は整数値）および「０」が登録されており、第２番目のレコードにおいて、検知ＩＤフィールド４２３１、判定結果フィールド４２３２、判定時刻フィールド４２３３、静止画フィールド４２３４、動画フィールド４２３５および対応フィールド４２３６それぞれには、「ＳＵ−１」、「離床」、「０６：４５」、「ＳＰ２」、「＊＊．＊＊．＊＊．＊＊」（＊＊は整数値）および「０」が登録されている。
【００５０】
なお、図３Ａに示す例では、監視情報テーブルＭＴは、動画フィールド４２３５を備えたが、検知ＩＤと、ライブ動画の取得先として、検知ユニットＳＵの通信アドレスとの対応関係を示すテーブルが監視情報テーブルＭＴとは別途に用意されて監視情報記憶部４２３に記憶され、図３Ａに示す監視情報テーブルＭＴから、動画フィールド４２３５が省略されても良い。
【００５１】
検知ユニット情報記憶部４２３は、検知ユニットＳＵに関する前記検知ユニット情報を記憶するものである。前記検知ユニット情報は、検知ユニットＳＵにおける配設場所、および、前記検知ユニットＳＵで監視される被監視者名を含む。この検知ユニット情報は、本実施形態では、テーブル形式で検知ユニット情報記憶部４２３に記憶されている。この検知ユニット情報を登録する検知ユニット情報テーブルＤＴは、例えば、図３Ｂに示すように、検知ＩＤを登録する検知ＩＤフィールド４２４１と、前記検知ＩＤに対応付けられ前記検知ＩＤを持つ前記検知ユニットＳＵの配設場所を登録する配設場所フィールド４２４２と、前記検知ＩＤに対応付けられ前記検知ＩＤを持つ前記検知ユニットＳＵで監視される被監視者Ｏｂの名前を登録する被監視者名フィールド４２４３とを備え、検知ＩＤごとにレコードを備える。この図３Ｂに示す例では、第１番目のレコードにおいて、検知ＩＤフィールド４２４１、配設場所フィールド４２４２および被監視者名フィールド４２４３それぞれには、「ＳＵ−１」、「１０１」および「Ｍ川Ｋ子」が登録されており、第２番目のレコードにおいて、検知ＩＤフィールド４２４１、配設場所フィールド４２４２および被監視者名フィールド４２４３それぞれには、「ＳＵ−２」、「１０２」および「Ｍ川Ｋ子」が登録されている。
【００５２】
ＴＡ制御処理部４１は、携帯端末ユニットＴＡの各部を当該各部の機能に応じてそれぞれ制御し、被監視者Ｏｂに対する監視に関する監視情報を処理するための回路である。ＴＡ制御処理部４１は、例えば、ＣＰＵ（Ｃｅｎｔｒａｌ  Ｐｒｏｃｅｓｓｉｎｇ  Ｕｎｉｔ）およびその周辺回路を備えて構成される。ＴＡ制御処理部４１は、制御処理プログラムが実行されることによって、端末制御部（ＴＡ制御部）４１１および端末監視処理部（ＴＡ監視処理部）４１２を機能的に備え、ＴＡ監視処理部４１２は、表示処理部４１２１を機能的に備える。
【００５３】
ＴＡ制御部４１１は、携帯端末ユニットＴＡの各部を当該各部の機能に応じてそれぞれ制御し、携帯端末ユニットＴＡの全体制御を司るものである。
【００５４】
ＴＡ監視処理部４１２は、被監視者Ｏｂに対する監視に関する前記監視情報を処理するものである。より具体的には、ＴＡ監視処理部４１２は、前記監視情報通信信号をＴＡ通信ＩＦ部４３で受信した場合に、この受信した監視情報通信信号に収容された被監視者Ｏｂの前記監視情報を監視情報テーブルＭＴに登録することで前記監視情報をＴＡ監視情報記憶部４２２に記憶する。
【００５５】
表示処理部４１２１は、前記監視情報の表示に関する動作を処理するものである。より具体的には、例えば、表示処理部４１２１は、互いに異なる複数の被監視者Ｏｂのうちの或る被監視者Ｏｂ−Ａに関する監視情報を表す監視情報画面５２−Ａの表示中に、前記複数の被監視者Ｏｂのうちの前記或る被監視者Ｏｂ−Ａと異なる他の被監視者Ｏｂ−Ｂに関する監視情報を収容した監視情報通信信号の受信があっても、ＴＡ入力部４５で所定の入力操作（例えば「タップ」等）を受け付けている場合、前記或る被監視者Ｏｂ−Ａに関する監視情報を表す前記監視情報画面５２−Ａの表示を継続する。
【００５６】
また例えば、互いに異なる複数の被監視者Ｏｂそれぞれに関する各監視情報を収容した複数の監視情報通信信号が受信され、前記複数の監視情報通信信号それぞれに対応する複数の監視情報画面がある場合に、表示処理部４１２１は、或る被監視者Ｏｂ−Ａに関する監視情報を表す監視情報画面５２−Ａの表示中に、他の被監視者Ｏｂ−Ｂに関する監視情報の受信があって、前記所定の入力操作を受け付けていない場合、前記或る被監視者Ｏｂ−Ａに関する監視情報を表す前記監視情報画面５２−Ａから、前記他の被監視者Ｏｂ−Ｂに関する監視情報を表す他の監視情報画面５２−Ｂへ移行して表示する。
【００５７】
また例えば、表示処理部４１２１は、或る被監視者Ｏｂ−Ａに関する監視情報を表す監視情報画面５２−Ａに、他の被監視者Ｏｂ−Ｂに関する監視情報の受信を表す別監視情報受信表示（例えば棒形状の表示等）を表示する。
【００５８】
また例えば、表示処理部４１２１は、第１の監視情報画面５２−ｔ２に対応する第１の監視情報ＭＩ−ｔ２より前の時刻に関する第２の監視情報ＭＩ−ｔ１がある場合には、第１の監視情報画面５２−ｔ２と第２の監視情報ＭＩ−ｔ１を表す第２の監視情報画面５２−ｔ１とを時系列に関係付けて表示画面記憶部４２１に記憶し、第１の監視情報画面５２−ｔ２に対応する第１の監視情報ＭＩ−ｔ２より後の時刻に関する第３の監視情報ＭＩ−ｔ３がある場合には、第１の監視情報画面５２−ｔ２と第３の監視情報ＭＩ−ｔ３を表す第３の監視情報画面５２−ｔ３とを時系列に関係付けて表示画面記憶部４２１に記憶し、表示処理部４１２１は、第１の監視情報画面５２−ｔ２をＴＡ表示部４６に表示している際に、第２の監視情報ＭＩ−ｔ１がある場合には第２の監視情報ＭＩ−ｔ１の受信を表す第１の別監視情報受信表示５３１を、第１の監視情報画面５２−ｔ２における一方端に表示し、第３の監視情報ＭＩ−ｔ３がある場合には第３の監視情報ＭＩ−ｔ３の受信を表す第２の別監視情報受信表示５３１を、第１の監視情報画面５２−ｔ２における他方端に表示し、前記所定の入力操作と異なる入力操作としてフリックをＴＡ入力部４５で受け付けた場合に、第１の監視情報画面５２−ｔ２の表示から、フリック先に表示されている別監視情報受信表示５３１に対応する監視情報を表す監視情報画面５２の表示へ移行して表示する。
【００５９】
このような携帯端末ユニットＴＡは、例えば、いわゆるタブレット型コンピュータやスマートフォンや携帯電話機等の、持ち運び可能な通信端末装置によって構成可能である。
【００６０】
次に、本実施形態の動作について説明する。このような構成の被監視者監視システムＭＳでは、各ユニットＳＵ、ＳＶ、ＳＰ、ＴＡは、電源が投入されると、必要な各部の初期化を実行し、その稼働を始める。携帯端末ユニットＴＡでは、その制御処理プログラムの実行によって、ＴＡ制御処理部４１には、ＴＡ制御部４１１およびＴＡ監視処理部４１２が機能的に構成され、ＴＡ監視処理部４１２には、表示処理部４１２１が機能的に構成される。
【００６１】
そして、上記構成の被監視者監視システムＭＳは、大略、次の動作によって、各被監視者Ｏｂそれぞれを監視している。検知ユニットＳＵは、所定のサンプリング周期で前記体動センサの出力および前記画像センサの出力をサンプリングし、このサンプリングした前記体動センサの出力および前記画像センサの出力に基づいて被監視者Ｏｂの状態（状況）を判定し、この判定の結果、被監視者Ｏｂが予め設定された状態（例えば、本実施形態では、起床、離床、転倒転落および微体動異常等）であると判定すると、自機の検知ＩＤ、被監視者Ｏｂの状態として判定された判定結果を表す判定結果情報、その判定時刻を表す判定時刻情報、その判定の際に用いられた被監視者Ｏｂの静止画（複数の画像を用いて判定した場合にはそのうちの１つ（例えば最終の画像））の画像データ、および、動画像をダウンロードする通信先として自機の通信アドレス（例えばＩＰアドレス）等を収容した通信信号（監視情報通信信号）をネットワークＮＷを介して管理サーバユニットＳＶへ送信する。前記自機の通信アドレスは、ヘッダに収容された送信元の通信アドレスが兼用されても良い。検知ユニットＳＵは、公知技術によって被監視者Ｏｂの状態（状況）を判定できる。例えば、検知ユニットＳＵは、前記体動センサによって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常であると判定する。また例えば、検知ユニットＳＵは、前記画像センサによって被監視者Ｏｂの画像を取得し、この取得した画像から被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて前記起床、離床および転倒転落の別を判定する。
【００６２】
管理サーバユニットＳＶは、前記監視情報通信信号をネットワークＮＷを介して検知ユニットＳＵから受信すると、この監視情報通信信号に収容された検知ＩＤ、判定結果情報、判定時刻情報、静止画の画像データおよび動画像を得るための通信アドレスを互いに対応付けて記憶（記録）する。そして、管理サーバユニットＳＶは、この監視情報通信信号を固定端末ユニットＳＰおよび携帯端末ユニットＴＡに向け例えばブロードキャストやマルチキャストの同報通信で送信する。これによって被監視者Ｏｂの状態（状況）が報知される。なお、送信元の通信アドレスが動画を得るための通信アドレスとして兼用されている場合には、管理サーバユニットＳＶによる監視情報通信信号の転送によって送信元の通信アドレスは、管理サーバユニットＳＶの通信アドレスとなるので、管理サーバユニットＳＶは、ヘッダに収容されている送信元の検知ユニットＳＵの通信アドレスを、監視情報通信信号のペイロードに収容してから前記監視情報通信信号を同報通信する。また、管理サーバユニットＳＶは、前記監視情報通信信号を、前記監視情報通信信号を送信した検知ユニットＳＵに予め対応付けたれた携帯端末ユニットＴＡにユニキャストで送信しても良い。
【００６３】
固定端末ユニットＳＰおよび携帯端末ユニットＴＡは、前記監視情報通信信号をネットワークＮＷを介して管理サーバユニットＳＶから受信すると、この監視情報通信信号に収容された被監視者Ｏｂの監視に関する前記監視情報を表示する。携帯端末ユニットＴＡによるこの監視情報を表示する動作については、以下で詳述する。このような動作によって、被監視者監視システムＭＳは、各検知ユニットＳＵ、管理サーバユニットＳＶ、固定端末ユニットＳＰおよび携帯端末ユニットＴＡによって、大略、各被監視者Ｏｂを検知して各被監視者Ｏｂを監視している。
【００６４】
次に、被監視者監視システムＭＳにおける、被監視者Ｏｂの監視に関する前記監視情報を表示する動作について、説明する。図４は、前記携帯端末ユニットにおける、監視情報の表示に関する動作を示すフローチャートである。図５は、前記携帯端末ユニットに表示される待受け画面の一例を示す図である。図６は、  被監視者の起床の通知を受けた、前記携帯端末ユニットに表示される監視情報画面の一例を示す図である。図７は、既に監視情報の通知を受けた被監視者とは別の被監視者に関する監視情報の通知を受けた、前記携帯端末ユニットに表示される監視情報画面の一例を示す図である。図８は、前記携帯端末ユニットに全画面表示で表示される監視情報画面の一例を示す図である。図９は、互いに異なる２以上の被監視者に関する複数の監視情報の通知を受けた、前記携帯端末ユニットに表示される監視情報画面の一例を示す図である。図９Ａは、監視情報画面を示し、図９Ｂは、時系列に並ぶ監視情報画面を示す。
【００６５】
図４において、携帯端末ユニットＴＡは、電源が投入されて起動し、例えば看護師や介護士等の監視者（ユーザ）によるログイン操作を受け付けると、ＴＡ監視処理部４１２によって、自機宛の通信信号を待ち受ける待受け画面をＴＡ表示部４６に表示する（Ｓ１）。この待受け画面５１は、例えば、図５に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末ユニットＴＡにログインしているユーザ名を表示するユーザ名領域５１５とを備える。
【００６６】
次に、携帯端末ユニットＴＡは、ＴＡ制御部４１１によって、ＴＡ通信ＩＦ部４３で通信信号を受信したか否かを判断する（Ｓ２）。この判断の結果、通信信号を受信していない場合（Ｎｏ）には、携帯端末ユニットＴＡは、処理をＳ１に戻し、前記判断の結果、通信信号を受信している場合（Ｙｅｓ）には、携帯端末ユニットＴＡは、次の処理Ｓ３を実行する。
【００６７】
この処理Ｓ３では、通信信号を受信すると、携帯端末ユニットＴＡは、ＴＡ監視処理部４１２によって、この受信した通信信号が監視情報通信信号であるか否かを判定する。この判定の結果、前記受信した通信信号が監視情報通信信号ではない場合（Ｎｏ）には、携帯端末ユニットＴＡは、ＴＡ制御処理部４１によって、前記受信した通信信号に応じた適宜な処理を実行し（Ｓ２１）、この前記監視情報の表示動作を終了する。一方、前記判定の結果、前記受信した通信信号が監視情報通信信号である場合（Ｙｅｓ）には、携帯端末ユニットＴＡは、ＴＡ監視処理部４１２によって、前記受信した監視情報通信信号に収容されている検知ＩＤ、判定結果情報、判定時刻情報、静止画の画像データおよび動画像を得るための通信アドレスを、監視情報テーブルＭＴに登録することで、これらを互いに対応付けてＴＡ監視情報記憶部４２２に記憶し（Ｓ４）、次の処理Ｓ５を実行する。なお、監視情報テーブルＭＴに前記各情報を登録する際に、ＴＡ監視処理部４１２は、その対応フィールド４２３６それぞれにはデフォルトのフラグ「０」を登録する。
【００６８】
この処理Ｓ５では、携帯端末ユニットＴＡは、ＴＡ監視処理部４１２の表示処理部４１２１によって、前記受信した監視情報通信信号に収容された監視情報にかかる被監視者Ｏｂ−Ｂと異なる被監視者Ｏｂ−Ａにかかる監視情報を表示する他の監視情報画面５２（５２−Ａ）が既に存在するか否かを判定し、次の処理Ｓ６を実行する。より具体的には、ＴＡ監視処理部４１２の表示処理部４１２１は、前記受信した監視情報通信信号に収容されている検知ＩＤと異なる検知ＩＤが、対応フィールド４２３６にフラグ「０」を登録するレコードの検知ＩＤフィールド４２３１に登録されているか否かを判定することによって、他の監視情報画面５２−Ａが既に存在するか否かを判定する。この判定の結果、前記受信した監視情報通信信号に収容されている検知ＩＤと異なる検知ＩＤが、対応フィールド４２３６にフラグ「０」を登録するレコードの検知ＩＤフィールド４２３１に登録されていない場合、異なる検知ＩＤの監視情報通画面５２−Ａが存在していないと判定し（Ｎｏ）、携帯端末ユニットＴＡは、次の処理Ｓ６を実行し、一方、前記判定の結果、前記受信した監視情報通信信号に収容されている検知ＩＤと異なる検知ＩＤが、対応フィールド４２３６にフラグ「０」を登録するレコードの検知ＩＤフィールド４２３１に登録されている場合、異なる検知ＩＤの監視情報画面５２−Ａが既に存在していると判定し（Ｙｅｓ）、携帯端末ユニットＴＡは、次の処理Ｓ６を実行する。なお、監視情報画面５２については、後に詳述する。
【００６９】
この処理Ｓ６では、携帯端末ユニットＴＡは、表示処理部４１２１によって、前記受信した監視情報通信信号に収容されている監視情報が監視情報画面５２の存在している検知ユニットＳＵに関する情報であるか否かを判定する。より具体的には、表示処理部４１２１は、前記受信した監視情報通信信号に収容されている検知ＩＤと同じ検知ＩＤを収容した監視情報通信信号を、前記受信した監視情報通信信号より前に（過去に）既に受信し、この既に受信した監視情報通信信号の監視情報画面５２が表示のために作成されている否かを判定する。より詳しくは、表示処理部４１２１は、前記受信した監視情報通信信号に収容されている検知ＩＤと同じ検知ＩＤが、対応フィールド４２３６にフラグ「０」を登録するレコードの検知ＩＤフィールド４２３１に登録されているか否かを判定することによって、前記既に受信し、この既に受信した監視情報通信信号の監視情報画面５２が表示のために作成されている否かを判定する。この判定の結果、前記受信した監視情報通信信号に収容されている検知ＩＤと同じ検知ＩＤが、対応フィールド４２３６にフラグ「０」を登録するレコードの検知ＩＤフィールド４２３１に登録されていない場合、同じ検知ＩＤの監視情報通信信号を既に受信していないと判定し（Ｎｏ）、携帯端末ユニットＴＡは、処理Ｓ７を実行し、一方、前記判定の結果、前記受信した監視情報通信信号に収容されている検知ＩＤと同じ検知ＩＤが、対応フィールド４２３６にフラグ「０」を登録するレコードの検知ＩＤフィールド４２３１に登録されている場合、同じ検知ＩＤの監視情報通信信号を既に受信していると判定し（Ｙｅｓ）、携帯端末ユニットＴＡは、処理Ｓ８を実行する。
【００７０】
この処理Ｓ７では、携帯端末ユニットＴＡは、表示処理部４１２１によって、前記受信した監視情報通信信号に収容されている各情報（各データ）に従った監視情報画面５２（５２−Ｂ）を新たに表示画面記憶部４２１に形成して記憶する。
【００７１】
この監視情報画面５２は、被監視者Ｏｂの監視に関する前記監視情報を表示するための画面である。前記監視情報画面５２（５２ａ）は、例えば、図６に示すように、メニューバー領域５１１と、検知ＩＤの検知ユニットＳＵの配設場所および前記検知ＩＤの前記検知ユニットＳＵによって監視される被監視者Ｏｂの名前を表示する被監視者名領域５２１と、判定時刻（または受信時刻）からの経過時間および判定結果を象徴的に表すアイコンを表示するアイコン領域５２２と、前記検知ＩＤの前記検知ユニットＳＵによって撮像された画像（ここでは静止画）を表示する画像領域５２３ａと、「対応する」ボタン５２４と、「話す」ボタン５２５と、「ＬＩＶＥを見る」ボタン５２６とを備える。「対応する」ボタン５２４は、前記検知ＩＤの前記検知ユニットＳＵによって監視される被監視者Ｏｂに対する例えば救命、看護、介護および介助等の前記対応を実行する意思が当該携帯端末ユニットＴＡのユーザにあることを当該携帯端末ユニットＴＡに入力し、前記意思が入力されたことを固定端末ユニットＳＰおよび他の携帯端末ユニットＴＡに報知させる指示を、当該携帯端末ユニットに入力するためのボタンである。「話す」ボタン５２５は、前記検知ＩＤの前記検知ユニットＳＵと当該携帯端末ユニットＴＡとをネットワークＮＷを介して通話可能に接続する指示を入力するためのボタンである。「ＬＩＶＥを見る」ボタン５２６は、前記検知ＩＤの前記検知ユニットＳＵによって撮像される動画を表示させる指示を入力するためのボタンである。
【００７２】
前記受信した監視情報通信信号に収容されている各情報に従った監視情報画面５２−Ｂを作成するために、表示処理部４１２１は、前記受信した監視情報通信信号に収容されている検知ＩＤに対応する配設場所および被監視者名をＴＡ検知ユニット情報記憶部４２３から前記検知ＩＤを検索キーとして検索し、前記受信した監視情報通信信号に収容されている判定時刻からの経過時間を求め、前記受信した監視情報通信信号に収容されている判定結果に対応するアイコンをＴＡ記憶部４２から前記判定結果を検索キーとして検索する。なお、各判定結果に対応する各アイコンは、各判定結果に対応付けられてＴＡ記憶部４２に予め記憶される。そして、表示処理部４１２１は、メニューバーをメニューバー領域５１１に表示し、前記検索した配設場所および被監視者名を被監視者名領域５２１に表示し、前記求めた経過時間および前記検索したアイコンをアイコン領域５２２に表示し、前記受信した監視情報通信信号に収容されている画像（静止画）を画像領域５２３ａに表示し、「対応する」ボタン５２４、「話す」ボタン５２５、および、「ＬＩＶＥを見る」ボタン５２６を表示することで監視情報画面５２ａを表示画面記憶部４２１に形成して記憶する。
【００７３】
このように新たな監視情報画面５２−Ｂを形成すると、表示処理部４１２１は、前記処理Ｓ５における判定の結果、異なる検知ＩＤの監視情報画面５２−Ａが既に存在している場合には、前記新たに形成した監視情報画面５２−Ｂと前記既に存在している監視情報画面５２−Ａとを時系列に関連付けて表示画面記憶部４２１に記憶する。より具体的には、表示処理部４１２１は、前記新たに形成した監視情報画面５２−Ｂと前記既に存在している監視情報画面５２−Ａとを、ＴＡ表示部４６に表示された場合の上下方向に時系列に連結してプレーンに形成する。
【００７４】
図４に戻って、処理Ｓ８では、携帯端末ユニットＴＡは、表示処理部４１２１によって、前記受信した監視情報通信信号に収容されている各情報（各データ）に従って監視情報画面５２（５２−Ｂ）を更新し、表示画面記憶部４２１に形成して記憶する。
【００７５】
前記受信した監視情報通信信号に収容されている各情報に従って監視情報画面５２−Ｂを更新するために、表示処理部４１２１は、前記受信した監視情報通信信号に収容されている判定時刻からの経過時間を求め、前記受信した監視情報通信信号に収容されている判定結果に対応するアイコンをＴＡ記憶部４２から前記判定結果を検索キーとして検索する。そして、表示処理部４１２１は、既に存在している監視情報画面５２に対し、前記求めた経過時間および前記検索したアイコンをアイコン領域５２２に表示し、前記受信した監視情報通信信号に収容されている画像（静止画）を画像領域５２３ａに表示することで監視情報画面５２−Ｂを更新し、表示画面記憶部４２１に記憶（形成）する。ここで、アイコン領域５２２には、既に受信していた監視情報通信信号に収容された判定結果に応じてアイコンが表示されているので、今般の前記検索したアイコンは、この既に表示されているアイコンに対して時系列に並べられてアイコン領域５２２に表示される。例えば、被監視者Ｏｂの判定結果「起床」が報知された後に、その判定結果「離床」が報知された場合、図６に示す、被監視者Ｏｂの判定結果「起床」を表すアイコンがアイコン領域５２２に表示されている監視情報画面５２ａは、被監視者Ｏｂの判定結果「離床」を表すアイコンが前記判定結果「起床」を表すアイコンに対する紙面左隣に並べてアイコン領域５２２に表示されて更新される。
【００７６】
このように監視情報画面５２−Ｂを更新して形成すると、処理Ｓ７と同様に、表示処理部４１２１は、前記処理Ｓ５における判定の結果、異なる検知ＩＤの監視情報画面５２−Ａが既に存在している場合には、前記更新して形成した監視情報画面５２−Ｂと前記既に存在している監視情報画面５２−Ａとを時系列に関連付けて表示画面記憶部４２１に記憶する。より具体的には、表示処理部４１２１は、前記更新して形成した監視情報画面５２−Ｂと前記既に存在している監視情報画面５２−Ａとを、ＴＡ表示部４６に表示された場合の上下方向に時系列に連結してプレーンに形成する。なお、表示処理部４１２１は、既存の時系列の関連付け（時系列の連結）を維持してこれらを時系列に関連付けて良く、また、前記受信した監視情報通信信号に基づいて新たな時系列で関連付けてこれらを再編しても良い。
【００７７】
処理Ｓ７の次に、または、処理Ｓ８の次に、携帯端末ユニットＴＡは、ＴＡ制御処理部４１によって、ＴＡ表示部４６に表示中の監視情報画面５２を継続するか、ＴＡ表示部４６に表示中の監視情報画面５２を前記受信した監視情報通信信号に収容された監視情報に基づく監視情報画面５２に切り換えるかの選択指示を当該携帯端末ユニットＴＡに入力するための所定の入力操作をＴＡ入力部４５で受け付けた否かを判定する（Ｓ９）。前記所定の入力操作は、例えば、本実施形態では、当該携帯端末ユニットＴＡのユーザ（監視者）が被監視者Ｏｂに対する例えば看護等の前記対応を実行するか否かの判断中（考慮中、思案中）であることを当該携帯端末ユニットＴＡに入力するための入力操作と兼用されており、例えば「タップ」である。この判定の結果、前記所定の入力操作（この例では「タップ」）を受け付けていない場合（Ｎｏ）には、携帯端末ユニットＴＡは、処理Ｓ１０を実行し、一方、前記判定の結果、前記所定の入力操作（この例では「タップ」）を受け付けている場合（Ｙｅｓ）には、携帯端末ユニットＴＡは、処理Ｓ１１を実行する。
【００７８】
この処理Ｓ１０では、携帯端末ユニットＴＡは、表示処理部４１２１によって、処理Ｓ７で新規作成した、または、処理Ｓ８で更新作成した、前記受信した監視情報通信信号に収容された監視情報に基づく監視情報画面５２−ＢをＴＡ表示部４６に表示する。これによって、携帯端末ユニットＴＡは、表示処理部４１２１によって、被監視者Ｏｂ−Ａに関する監視情報を表す監視情報画面５２−Ａの表示中に、他の被監視者Ｏｂ−Ｂに関する監視情報の受信があって、前記所定の入力操作（この例では「タップ」）を受け付けていない場合、前記被監視者Ｏｂ−Ａに関する監視情報を表す監視情報画面５２−Ａから、前記他の被監視者Ｏｂ−Ｂに関する監視情報を表す前記他の監視情報画面５２−Ｂへ移行して表示することになる。そして、携帯端末ユニットＴＡは、次の処理Ｓ１２を実行する。
【００７９】
この処理Ｓ１１では、携帯端末ユニットＴＡは、表示処理部４１２１によって、ＴＡ表示部４６に既に表示中の監視情報画面５２−Ａに、前記表示中の監視情報画面５２−Ａにかかる被監視者Ｏｂ−Ａとは異なる他の被監視者Ｏｂ−Ｂに関する監視情報を収容した監視情報通信信号の受信を表す別監視情報受信表示を表示する。この別監視情報受信表示５３１は、例えば、図７に示すように、棒形状の表示であり、図７に示す例では、表示中の監視情報画面５２ｂ（５２ｂ−Ａ）に対し、後の時刻に関する監視情報画面５２（５２−Ｂ）が時系列で並び後続していることを表す下三角マーク（▽）がさらに付加されている。これによって、携帯端末ユニットＴＡは、表示処理部４１２１によって、被監視者Ｏｂ−Ａに関する監視情報を表す監視情報画面５２−Ａの表示中に、他の被監視者Ｏｂ−Ｂに関する監視情報の受信があって、前記所定の入力操作（この例では「タップ」）を受け付けている場合、前記被監視者Ｏｂ−Ａに関する監視情報を表す監視情報画面５２−Ａの表示を継続することになる。そして、携帯端末ユニットＴＡは、次の処理Ｓ１２を実行する。
【００８０】
なお、監視情報画面５２−Ａの表示の継続は、前記所定の入力操作を受け付けている間だけ実行されて良く、また、前記所定の入力操作の受付けを終了すると、終了され、監視情報画面５２−Ａから他の監視情報画面５２−Ｂへ移行して前記他の監視情報画面５２−Ｂが表示されても良い。例えば、タッチパネルにタッチ中、監視情報画面５２−Ａの表示が継続され、前記タッチの終了によって、監視情報画面５２−Ａの表示が終了し、監視情報画面５２−Ａから他の監視情報画面５２−Ｂへ移行して前記他の監視情報画面５２−Ｂが表示されても良い。さらに、監視情報画面５２−Ａの表示の継続は、前記所定の入力操作の受付けから所定の期間の経過までとしても良い。つまり、この前記所定の期間の間は、ユーザが判断中であるとみなし、前記所定の入力操作の受付中としても良い（処理Ｓ９でＹｅｓ）。例えば、タッチパネルが「タップ」されてから、前記所定の期間として２０秒間は、監視情報画面５２−Ａの表示が継続され、前記２０秒の経過後、監視情報画面５２−Ａの表示が終了され、前記他の監視情報画面５２−Ｂが表示されても良い。
【００８１】
また、処理Ｓ１１において、携帯端末ユニットＴＡは、ＴＡ制御処理部４１によって、ＴＡ入力部４５およびＴＡ表示部４６を備えて成るタッチパネルで前記入力操作として前記「タップ」を受け付けると、画像領域５２３ａを全画面表示の画像領域５２３ｂに代えた監視情報画面５２ｃをＴＡ表示部４６に表示するように、構成されても良い。この監視情報画面５２ｃは、例えば、図８に示すように、メニューバー領域５１１と、被監視者名領域５２１と、前記検知ＩＤの前記検知ユニットＳＵによって撮像された画像（ここでは静止画）を、メニューバー領域５１１および被監視者名領域５２１を除いた残余の領域全面で表示する全画面表示の画像領域５２３ｂとを備える。この全画面表示によって、監視者（ユーザ）は、被監視者Ｏｂの様子をより詳細に認識することができ、被監視者Ｏｂに対する例えば看護等の前記対応の実行の是非を考慮し易くなる。
【００８２】
図４に戻って、処理Ｓ１０の次に、または、処理Ｓ１１の次に、携帯端末ユニットＴＡは、ＴＡ制御処理部４１によって、ＴＡ入力部４５およびＴＡ表示部４６を備えて成るタッチパネルで入力操作を受け付けたか否かを判定する（Ｓ１２）。この判定の結果、入力操作を受け付けていない場合（Ｎｏ）には、携帯端末ユニットＴＡは、処理を処理Ｓ１２に戻し、一方、前記判定の結果、入力操作を受け付けている場合には、携帯端末ユニットＴＡは、次の処理Ｓ１３を実行する。
【００８３】
この処理Ｓ１３では、携帯端末ユニットＴＡは、ＴＡ制御処理部４１によって、入力操作の内容に応じた適宜な処理を実行し、この前記監視情報の表示動作を終了する。
【００８４】
例えば、携帯端末ユニットＴＡは、ＴＡ制御処理部４１によって、「対応する」ボタン５２４の入力操作を受け付けると、現在、ＴＡ表示部４６に表示している被監視者Ｏｂの監視情報に対応する検知ＩＤを検知ＩＤフィールド４２３１に登録しているレコードにおける、対応フィールド４２３６にフラグ「１」を登録し、当該携帯端末ユニットＴＡにログインしている監視者（ユーザ）が、現在、ＴＡ表示部４６に表示している被監視者Ｏｂに対する例えば看護等の前記対応を実行する意思があることを、固定端末ユニットＳＰおよび他の携帯端末ユニットＴＡに報知し、ＴＡ表示部４６に表示している被監視者Ｏｂの監視情報画面５２を削除する。
【００８５】
また例えば、携帯端末ユニットＴＡは、ＴＡ制御処理部４１によって、「話す」ボタン５２５の入力操作を受け付けると、現在、ＴＡ表示部４６に表示している被監視者Ｏｂを検知する検知ユニットＳＵと、ネットワークＮＷを介して通話可能に接続する。
【００８６】
また例えば、携帯端末ユニットＴＡは、ＴＡ制御処理部４１によって、「ＬＩＶＥを見る」ボタン５２６の入力操作を受け付けると、現在、ＴＡ表示部４６に表示している被監視者Ｏｂを監視する検知ユニットＳＵと、ネットワークＮＷを介して動画のダウンロード可能に接続する。これによって画像領域５２３ａには、あるいは、前記「タップ」によって切り替わった画像領域５２３ｂには、被監視者Ｏｂの動画が表示される。
【００８７】
また例えば、携帯端末ユニットＴＡは、ＴＡ制御処理部４１によって、「フリック」の入力操作を受け付けると、フリック先に表示されている別監視情報受信表示５３１に対応する監視情報を表す監視情報画面５２の表示へ移行して表示する。例えば、図７に示す例では、ＴＡ表示部４６の表示画面において、上から下へ「フリック」すると、フリック先に表示されている別監視情報受信表示５３１に対応する監視情報を表す監視情報画面５２−Ｂの表示へ、表示中の監視情報画面５２−Ａから移行して監視情報画面５２−Ｂが表示される。また例えば、互いに異なる複数の被監視者Ｏｂそれぞれに関する各監視情報それぞれを収容した複数の監視情報通信信号が受信され、これらに対応した複数の監視情報画面５２が存在する場合、表示処理部４１２１は、第１の監視情報画面５２−ｔ２に対応する第１の監視情報ＭＩ−ｔ２より前の時刻に関する第２の監視情報ＭＩ−ｔ１がある場合には、第１の監視情報画面５２−ｔ２と第２の監視情報ＭＩ−ｔ１を表す第２の監視情報画面５２−ｔ１とを時系列に関係付けて表示画面記憶部４２１に記憶し、第１の監視情報画面５２−ｔ２に対応する第１の監視情報ＭＩ−ｔ２より後の時刻に関する第３の監視情報ＭＩ−ｔ３がある場合には、第１の監視情報画面５２−ｔ２と第３の監視情報ＭＩ−ｔ３を表す第３の監視情報画面５２−ｔ３とを時系列に関係付けて表示画面記憶部４２１に記憶し、表示処理部４１２１は、第１の監視情報画面５２−ｔ２をＴＡ表示部４６に表示している際に、第２の監視情報ＭＩ−ｔ１がある場合には第２の監視情報ＭＩ−ｔ１の受信を表す第１の別監視情報受信表示５３１を、第１の監視情報画面５２−ｔ２における一方端に表示し、第３の監視情報ＭＩ−ｔ３がある場合には第３の監視情報ＭＩ−ｔ３の受信を表す第２の別監視情報受信表示５３１を、第１の監視情報画面５２−ｔ２における他方端に表示し、「フリック」の入力操作を受け付けると、フリック先に表示されている別監視情報受信表示５３１に対応する監視情報を表す監視情報画面５２の表示へ移行して表示する。例えば、図９Ｂに示すように、第２の被監視者Ｏｂ−ｔ１として「Ｋ山さん」の第２の監視情報ＭＩ−ｔ１を表示する第２の監視情報画面５２−ｔ１があり、第１の被監視者Ｏｂ−ｔ２として「Ｋ田さん」の第１の監視情報ＭＩ−ｔ２を表示する第１の監視情報画面５２ｄ（５２−ｔ２）があり、そして、第３の被監視者Ｏｂ−ｔ３として「Ｍ川さん」の第３の監視情報ＭＩ−ｔ３を表示する第３の監視情報画面５２−ｔ３があり、図９Ａに示すように、前記第１の監視情報画面５２ｄ（５２−ｔ２）がＴＡ表示部４６の表示画面に表示されている場合には、第２の監視情報ＭＩ−ｔ１の受信を表す第１の別監視情報受信表示５３１ｂは、前記第１の監視情報画面５２ｄ（５２−ｔ２）における一方端、例えば、上端部に表示され、第３の監視情報ＭＩ−ｔ３の受信を表す第３の別監視情報受信表示５３１ａは、前記第１の監視情報画面５２ｄ（５２−ｔ２）における他方端、例えば、下端部に表示される。そして、ＴＡ表示部４６の表示画面において、上から下へ「フリック」すると、フリック先に表示されている別監視情報受信表示５３１ａに対応する第３の監視情報ＭＩ−ｔ３を表す第３の監視情報画面５２−ｔ３の表示へ、表示中の第１の監視情報画面５２ｄ（５２−ｔ２）から移行して第３の監視情報画面５２−ｔ３が表示される。一方、ＴＡ表示部４６の表示画面において、下から上へ「フリック」すると、フリック先に表示されている別監視情報受信表示５３１ｂに対応する第２の監視情報ＭＩ−ｔ１を表す第２の監視情報画面５２−ｔ１の表示へ、表示中の第１の監視情報画面５２ｄ（５２−ｔ２）から移行して第２の監視情報画面５２−ｔ１が表示される。なお、図９では、これら第１ないし第３の監視情報ＭＩ−ｔ１〜ＭＩ−ｔ３の中で、第２の監視情報ＭＩ−ｔ１が１番目に受信され、第１の監視情報ＭＩ−ｔ２が２番目に受信され、第３の監視情報ＭＩ−ｔ３が３番目に受信されている。
【００８８】
以上説明したように、被監視者監視システムＭＳ、被監視者監視システムＭＳの表示装置（上述の実施形態では代表的に携帯端末ユニットＴＡ）およびこれに実装された被監視者監視システムの表示方法は、監視情報画面５２の表示中であって、所定の入力操作、例えば判断中であることを表示装置（携帯端末ユニットＴＡ）に指示する入力操作（上述の例では「タップ」）を受け付けている場合、他の監視情報の受信があっても、その表示中の監視情報画面５２の表示を継続するので、情報過多となることなく、複数の監視情報を適切に表示でき、監視情報に応じた対処の判断がし易くなる。例えば、表示中の監視情報画面５２から、他の監視情報の受信のために、この他の監視情報を表す他の監視情報画面５２に移行して前記他の監視情報画面５２が表示されてしまうと、判断し難くなるが、このようなことがない。
【００８９】
被監視者監視システムＭＳ、被監視者監視システムＭＳの表示装置（上述の実施形態では代表的に携帯端末ユニットＴＡ）およびこれに実装された被監視者監視システムの表示方法は、別監視情報受信表示５３１を表示するので、表示中の監視情報画面５２の表示が継続されても、他の監視情報の受信を認識できる。
【００９０】
被監視者監視システムＭＳ、被監視者監視システムＭＳの表示装置（上述の実施形態では代表的に携帯端末ユニットＴＡ）およびこれに実装された被監視者監視システムの表示方法は、時系列に関係付けられた複数の監視情報画面５２の存在を認識でき、また、本実施形態ではフリックの入力操作で順次に表示できる。
【００９１】
被監視者監視システムＭＳ、被監視者監視システムＭＳの表示装置（上述の実施形態では代表的に携帯端末ユニットＴＡ）およびこれに実装された被監視者監視システムの表示方法は、前記所定の入力操作（上述の例では「タップ」）を受け付けていない場合、表示中の監視情報画面５２から、前記他の監視情報を表す他の監視情報画面５２へ移行して表示するので、最新の監視情報を表示できる。
【００９２】
なお、上述の実施形態では、被監視者監視システムＭＳは、管理サーバユニットＳＶの情報処理量の軽減を図るために、検知ユニットＳＵが被監視者Ｏｂの状態（状況）を判定するように構成されたが、管理サーバユニットＳＶが検知ユニットＳＵから例えば前記体動センサの出力および前記画像センサの出力を受信して被監視者Ｏｂの状態（状況）を判定するように構成されても良い。
【００９３】
また、上述の実施形態において、表示装置の一例としての携帯端末ユニットＴＡは、前記所定の入力操作の受付け終了後、所定時間経過後に、入力操作を待機する待機モードとなるように、構成されても良い。より具体的には、表示装置の一例としての携帯端末ユニットＴＡは、前記所定の入力操作の受付け終了後、所定時間経過後に、入力操作を待機する待機モードとなるモード制御部をＴＡ監視処理部４１２にさらに機能的に備える。
【００９４】
また、上述の実施形態において、表示装置の一例としての携帯端末ユニットＴＡは、前記所定の入力操作を受付けると、前記対応を実行するか否かの判断中であることを表す判断中画面を表示するように、構成されても良い。より具体的には、表示処理部４１２１は、前記所定の入力操作をＴＡ入力部４５で受付けると、判断中であることを表す判断中画面を表示する。なお、図８に示す全画面表示の画像領域５２３ｂを持つ監視情報画面５２ｃが前記判断中画面の一例であっても良い。この判断中画面を表示している間が、ユーザの判断中とみなされ、前記所定の入力操作の受付中とみなされても良い（処理Ｓ９でＹｅｓ）。
【００９５】
また、上述では、時系列に関連づけられた他の監視情報画面５２への移行は、「フリック」であったが、これに限定されるものではない。例えば、「フリック」に代え、あるいは、「フリック」に加えて、「タップ」や「携帯端末ユニットＴＡ全体の移動」であってもよい。前記「タップ」では、「タップ」された位置に表示されている前記別監視情報受信表示に対応する監視情報を表す監視情報表示画面が表示される。前記「携帯端末ユニットＴＡ全体の移動」では、携帯端末ユニットＴＡは、３軸加速度センサを備え、この３軸加速度センサによって携帯端末ユニットＴＡの振ったりあるいは傾けたり等した場合の移動方向を検出し、移動方向先に表示されている前記別監視情報受信表示に対応する監視情報を表す監視情報表示画面を表示する。
【００９６】
この出願は、２０１５年３月２６日に出願された日本国特許出願特願２０１５−６５２８６を基礎とするものであり、その内容は、本願に含まれるものである。
【００９７】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００９８】
本発明によれば、被監視者監視システムの表示装置および該表示方法ならびに被監視者監視システムを提供できる。
【符号の説明】
【００９９】
Ｏｂ（Ｏｂ−１〜Ｏｂ−４）  被監視者
ＮＳ（ＮＳ−１、ＮＳ−２）  監視者（ユーザ）
ＭＳ  被監視者監視システム
ＳＵ  検知ユニット
ＳＶ  管理サーバユニット
ＳＰ  固定端末ユニット
ＴＡ  携帯端末ユニット
ＭＴ  監視情報テーブル
ＤＴ  検知ユニット情報テーブル
４１  端末制御処理部（ＴＡ制御処理部）
４２  端末記憶部（ＴＡ記憶部）
４３  端末通信インターフェース部（ＴＡ通信ＩＦ部）
４４  端末音入出力部（ＴＡ音入出力部）
４５  端末入力部（ＴＡ入力部）
４６  端末表示部（ＴＡ表示部）
４１２  端末監視処理部（ＴＡ監視処理部）
４２１  表示画像記憶部
４２２  監視情報記憶部
４２３  検知ユニット情報記憶部
４１２１  表示処理部
【図１】
2020146506.tif 000003
【図２】
2020146506.tif 000004
【図３】
2020146506.tif 000005
【図４】
2020146506.tif 000006
【図５】
2020146506.tif 000007
【図６】
2020146506.tif 000008
【図７】
2020146506.tif 000009
【図８】
2020146506.tif 000010
【図９】
2020146506.tif 000011
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
監視対象である複数の被監視者それぞれに関する監視情報を受信して表示する表示装置であって、
通信を行う通信部と、
表示を行う表示部と、
入力操作を受け付ける入力部と、
前記通信部で前記監視情報を収容した監視情報通信信号を受信した場合に、前記監視情報通信信号に収容された前記監視情報を前記表示部に表示する表示処理部とを備え、
前記表示処理部は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があった場合において、
前記他の被監視者に関する前記監視情報通信信号の受信を表す別監視情報受信表示を前記表示部に表示し、
前記別監視情報受信表示が表示された状態で、前記入力部が所定の入力操作を受け付けると、前記表示処理部は、前記或る被監視者に関する監視情報を表す監視情報表示画面から、前記他の被監視者に関する監視情報を表す監視情報表示画面へ移行して前記表示部に表示する、
表示装置。
【請求項２】
前記監視情報表示画面は、監視対象である被監視者の画像を含む、請求項１に記載の表示装置。
【請求項３】
表示画面記憶部をさらに有し、
前記表示画面記憶部は、第１の監視情報表示画面に対応する第１の監視情報より前の時刻に関する第２の監視情報がある場合には、前記第１の監視情報表示画面と前記第２の監視情報を表す第２の監視情報表示画面とを時系列に関係付けて記憶し、前記第１の監視情報表示画面に対応する第１の監視情報より後の時刻に関する第３の監視情報がある場合には、前記第１の監視情報表示画面と前記第３の監視情報を表す第３の監視情報表示画面とを時系列に関係付けて記憶し、
前記表示処理部は、前記第１の監視情報表示画面を前記表示部に表示している際に、前記第２の監視情報がある場合には前記第２の監視情報の受信を表す第１の別監視情報受信表示を、前記第１の監視情報表示画面における一方に表示し、前記第３の監視情報がある場合には前記第３の監視情報の受信を表す第２の別監視情報受信表示を、前記第１の監視情報表示画面における他方に表示する、
請求項１または請求項２に記載の表示装置。
【請求項４】
前記所定の入力操作は、前記監視情報表示画面のフリックである、請求項１ないし請求項３のいずれか１項に記載の表示装置。
【請求項５】
前記所定の入力操作は、前記別監視情報受信表示へのタップである、請求項１ないし請求項３のいずれか１項に記載の表示装置。
【請求項６】
前記所定の入力操作は、前記表示装置の移動である、請求項１ないし請求項３のいずれか１項に記載の表示装置。
【請求項７】
表示装置と、前記表示装置と通信可能に接続され、監視対象である複数の被監視者それぞれを検知して検知結果を前記表示装置へ通知する検知装置とを備える被監視者監視システムであって、
前記表示装置は、請求項１ないし請求項６のいずれか１項に記載の表示装置である、
被監視者監視システム。
【請求項８】
監視対象である複数の被監視者それぞれに関する監視情報を受信して表示装置に表示する表示方法であって、
入力操作を受け付ける入力工程と、
前記監視情報を収容した監視情報通信信号を受信した場合に、前記監視情報通信信号に収容された前記監視情報を、表示する表示処理工程とを備え、
前記表示処理工程は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があった場合において、前記他の被監視者に関する前記監視情報通信信号の受信を表す別監視情報受信表示を前記表示部に表示し、
前記入力部が所定の入力操作を受け付けると、前記表示処理部は、前記或る被監視者に関する監視情報を表す監視情報表示画面から、前記他の被監視者に関する監視情報を表す監視情報表示画面へ移行して前記表示部に表示する、
表示方法。
【請求項９】
監視対象である複数の被監視者それぞれに関する監視情報を受信して前記監視情報を表示する表示部を有する端末装置のコンピュータに、
前記監視情報を収容した監視情報通信信号を受信する受信工程と、
入力操作を受け付ける入力工程と、
前記監視情報通信信号を受信した場合に、前記監視情報通信信号に収容された前記監視情報を、前記表示部に表示する表示処理工程と、
を実行させるプログラムであって、
前記表示処理工程は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があった場合において、前記他の被監視者に関する前記監視情報通信信号の受信を表す別監視情報受信表示を前記表示部に表示し、
前記所定の入力操作を受け付けると、前記或る被監視者に関する監視情報を表す監視情報表示画面から、前記他の被監視者に関する監視情報を表す監視情報表示画面へ移行して前記表示部に表示する、
プログラム。
【手続補正３】
【補正対象書類名】明細書
【補正対象項目名】００１０
【補正方法】変更
【補正の内容】
【００１０】
本発明は、上述の事情に鑑みて為された発明であり、その目的は、複数の監視情報を適切に表示でき、監視情報に応じた対処の判断がし易い被監視者監視システムの表示装置、表示方法およびプログラムならびに前記被監視者監視システムを提供することである。
【手続補正４】
【補正対象書類名】明細書
【補正対象項目名】００１１
【補正方法】変更
【補正の内容】
【００１１】
一態様にかかる表示装置は、監視対象である複数の被監視者それぞれに関する監視情報を受信して表示する表示装置であって、通信を行う通信部と、表示を行う表示部と、入力操作を受け付ける入力部と、前記通信部で前記監視情報を収容した監視情報通信信号を受信した場合に、前記監視情報通信信号に収容された前記監視情報を前記表示部に表示する表示処理部とを備え、前記表示処理部は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があった場合において、前記他の被監視者に関する前記監視情報通信信号の受信を表す別監視情報受信表示を前記表示部に表示し、前記別監視情報受信表示が表示された状態で、前記入力部が所定の入力操作を受け付けると、前記表示処理部は、前記或る被監視者に関する監視情報を表す監視情報表示画面から、前記他の被監視者に関する監視情報を表す監視情報表示画面へ移行して前記表示部に表示する。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
他の一態様では、上述の表示装置において、前記監視情報表示画面は、監視対象である被監視者の画像を含む。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
他の一態様では、これら上述の表示装置において、表示画面記憶部をさらに有し、前記表示画面記憶部は、第１の監視情報表示画面に対応する第１の監視情報より前の時刻に関する第２の監視情報がある場合には、前記第１の監視情報表示画面と前記第２の監視情報を表す第２の監視情報表示画面とを時系列に関係付けて記憶し、前記第１の監視情報表示画面に対応する第１の監視情報より後の時刻に関する第３の監視情報がある場合には、前記第１の監視情報表示画面と前記第３の監視情報を表す第３の監視情報表示画面とを時系列に関係付けて記憶し、前記表示処理部は、前記第１の監視情報表示画面を前記表示部に表示している際に、前記第２の監視情報がある場合には前記第２の監視情報の受信を表す第１の別監視情報受信表示を、前記第１の監視情報表示画面における一方に表示し、前記第３の監視情報がある場合には前記第３の監視情報の受信を表す第２の別監視情報受信表示を、前記第１の監視情報表示画面における他方に表示する。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
他の一態様では、これら上述の表示装置において、前記所定の入力操作は、前記監視情報表示画面のフリックである。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
他の一態様では、これら上述の表示装置において、前記所定の入力操作は、前記別監視情報受信表示へのタップである。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
他の一態様では、これら上述の表示装置において、前記所定の入力操作は、前記表示装置の移動である。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
本発明の他の一態様にかかる被監視者監視システムは、表示装置と、前記表示装置と通信可能に接続され、監視対象である複数の被監視者それぞれを検知して検知結果を前記表示装置へ通知する検知装置とを備える被監視者監視システムであって、前記表示装置は、これら上述のいずれか１項に記載の表示装置である。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
本発明の他の一態様にかかる表示方法は、監視対象である複数の被監視者それぞれに関する監視情報を受信して表示装置に表示する表示方法であって、入力操作を受け付ける入力工程と、前記監視情報を収容した監視情報通信信号を受信した場合に、前記監視情報通信信号に収容された前記監視情報を、表示する表示処理工程とを備え、前記表示処理工程は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があった場合において、前記他の被監視者に関する前記監視情報通信信号の受信を表す別監視情報受信表示を前記表示部に表示し、前記入力部が所定の入力操作を受け付けると、前記表示処理部は、前記或る被監視者に関する監視情報を表す監視情報表示画面から、前記他の被監視者に関する監視情報を表す監視情報表示画面へ移行して前記表示部に表示する。
【手続補正１９】
【補正対象書類名】明細書
【補正対象項目名】００２６
【補正方法】変更
【補正の内容】
【００２６】
本発明の他の一態様にかかるプログラムは、監視対象である複数の被監視者それぞれに関する監視情報を受信して前記監視情報を表示する表示部を有する端末装置のコンピュータに、前記監視情報を収容した監視情報通信信号を受信する受信工程と、入力操作を受け付ける入力工程と、前記監視情報通信信号を受信した場合に、前記監視情報通信信号に収容された前記監視情報を、前記表示部に表示する表示処理工程と、を実行させるプログラムであって、前記表示処理工程は、前記複数の被監視者のうちの或る被監視者に関する監視情報を表す監視情報表示画面の表示中に、前記複数の被監視者のうちの前記或る被監視者と異なる他の被監視者に関する監視情報を収容した監視情報通信信号の受信があった場合において、前記他の被監視者に関する前記監視情報通信信号の受信を表す別監視情報受信表示を前記表示部に表示し、前記所定の入力操作を受け付けると、前記或る被監視者に関する監視情報を表す監視情報表示画面から、前記他の被監視者に関する監視情報を表す監視情報表示画面へ移行して前記表示部に表示する。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】